(57)【要約】【課題】プロジェクタに接触することなく、停止状態から投映状態への切替え操作を可能にすること。【解決手段】プロジェクタ１は、投映光源２０が発する光を変調して投映面に投映する投映部１８と、投映部１８による投映を停止する停止状態であることを示す光を発する通知光源１２と、通知光源１２が発する光または該光の反射光を受光する受光部１３と、受光部１３による受光信号に基づいて、停止状態から投映部による投映を行う投映状態への切替を制御する制御部１４と、を備える。【選択図】図２
2013148621.tif 000002
【特許請求の範囲】
【請求項１】
投映光源が発する光を変調して投映面に投映する投映部と、
前記投映部による投映を停止する停止状態であることを示す光を発する通知光源と、
前記通知光源が発する光または該光の反射光を受光する受光部と、
前記受光部による受光信号に基づいて、前記停止状態から前記投映部による投映を行う投映状態への切替を制御する制御部と、
を備えることを特徴とするプロジェクタ。
【請求項２】
請求項１に記載のプロジェクタにおいて、
前記通知光源は、所定のタイミングで間欠発光することを特徴とするプロジェクタ。
【請求項３】
請求項２に記載のプロジェクタにおいて、
前記受光信号から前記通知光源の発光タイミングと同期するタイミングの信号を抽出する抽出部をさらに備え、
前記制御部は、前記抽出部により抽出された信号に基づいて、前記停止状態から前記投映状態への切替を制御することを特徴とするプロジェクタ。
【請求項４】
請求項３に記載のプロジェクタにおいて、
前記抽出部により抽出された信号のパルス数をカウントするカウント部をさらに備え、
前記制御部は、前記カウント部によるカウント数が所定数に達したら、前記停止状態から前記投映状態へ切替えることを特徴とするプロジェクタ。
【請求項５】
請求項１〜４のいずれか一項に記載のプロジェクタにおいて、
前記投映光源は、前記通知光源を兼ねることを特徴とするプロジェクタ。
【請求項６】
請求項１〜４のいずれか一項に記載のプロジェクタにおいて、
前記通知光源は、前記投映光源とは別に設けられることを特徴とするプロジェクタ。
【請求項７】
請求項５に記載のプロジェクタにおいて、
前記受光部は、前記投映光源が発する光に含まれる所定波長領域の可視光を受光することを特徴とするプロジェクタ。
【請求項８】
請求項３または４に記載のプロジェクタにおいて、
前記抽出部は、前記受光信号から所定のレベルの信号を抽出することを特徴とするプロジェクタ。
【請求項９】
請求項１〜８のいずれか一項に記載のプロジェクタにおいて、
前記制御部は、前記停止状態に切替える直前の動作状態を示す情報を記憶部に記憶し、該停止状態から前記投映状態に切替える際、該記憶部に記憶した該情報に基づいて該停止状態に切替える直前の動作状態に復帰させることを特徴とするプロジェクタ。
【発明の詳細な説明】
【技術分野】
【０００１】
本発明は、プロジェクタに関する。
【背景技術】
【０００２】
人物が近づいてきたと判断すると、眩しくならないように投映光量を調整するプロジェクタが知られている（特許文献１参照）。
【先行技術文献】
【特許文献】
【０００３】
【特許文献１】特開平６−３４７７４８号公報
【発明の概要】
【発明が解決しようとする課題】
【０００４】
従来技術では、プロジェクタに接触することなく投映光量が調整されるものの、プロジェクタに触ることなく投映状態に切替えることはできなかった。
【課題を解決するための手段】
【０００５】
本発明によるプロジェクタは、投映光源が発する光を変調して投映面に投映する投映部と、投映部による投映を停止する停止状態であることを示す光を発する通知光源と、通知光源が発する光または該光の反射光を受光する受光部と、受光部による受光信号に基づいて、停止状態から投映部による投映を行う投映状態への切替を制御する制御部と、を備えることを特徴とする。
【発明の効果】
【０００６】
本発明によれば、プロジェクタに接触することなく、停止状態から投映状態へ切替え操作できる。
【図面の簡単な説明】
【０００７】
【図１】本発明の第１の実施の形態によるプロジェクタの外観例を説明する図である。
【図２】本発明の第１の実施の形態によるプロジェクタの要部構成例を説明するブロック図である。
【図３】本発明の第１の実施の形態による光源制御回路の構成例を説明する回路図である。
【図４】本発明の第１の実施の形態による点灯制御信号の波形を説明する図である。
【図５】本発明の第１および第２の実施の形態による非接触操作検出回路の構成例を説明する回路図である。
【図６】本発明の第１の実施の形態による待機表示用光源の点灯制御信号と受光センサの受光信号の波形を説明する図である。
【図７】本発明の第１および第２の実施の形態によるカウンタ回路の構成例を説明する回路図である。
【図８】本発明の第１および第２の実施の形態によるカウンタ回路の作動例を説明するタイミングチャートである。
【図９】本発明の第１の実施の形態による非接触操作検出処理を説明するフローチャートである。
【図１０】本発明の第２の実施の形態によるプロジェクタの外観例を説明する図である。
【図１１】本発明の第２の実施の形態によるプロジェクタの要部構成例を説明するブロック図である。
【図１２】本発明の第２の実施の形態による光源制御回路の構成例を説明する回路図である。
【図１３】本発明の第２の実施の形態による点灯制御信号の波形を説明する図である。
【図１４】本発明の第２の実施の形態による非接触操作検出処理を説明するフローチャートである。
【図１５】変形例１による光源制御回路の構成例を説明する回路図である。
【発明を実施するための形態】
【０００８】
（第１の実施の形態）
図面を参照して、本発明による第１の実施の形態について説明する。図１は、本発明の第１の実施の形態によるプロジェクタ１の外観例を説明する図である。プロジェクタ１の正面１Ａには、投映光学系１１（図２）を構成する投映レンズ１１Ａが設けられている。プロジェクタ１は、机上などに載置された状態で前方の投映面（スクリーンなど）に対し、投映レンズ１１Ａを介して画像などを投映する。
【０００９】
プロジェクタの上面１Ｂには、プロジェクタ１が待機モードであることを表示する待機表示用光源１２が設けられている。本説明において、待機モードとは、画像などの投映を一時的に停止して消費電力の低減を図る動作モードのことをいう。本実施形態のプロジェクタ１は、画像などを投映する投映モードと待機モードとを切替可能に構成されている。
【００１０】
また、上面１Ｂには、待機表示用光源１２の近傍に、受光センサ１３が設けられている。待機表示用光源１２の上方に反射物（たとえば操作者の手）をかざすと、待機表示用光源１２の出力光が上記反射物に反射され、受光センサ１３が該反射光を受光する。
【００１１】
本実施形態のプロジェクタ１は、待機モードである場合に受光センサ１３が該反射光を受光すると、待機モードの解除を指示する操作が行われたと判断して、待機モードから投映モードに復帰する。
【００１２】
このように本実施形態のプロジェクタ１は、待機表示用光源１２の上方に上記反射物をかざす操作を検出できるようになっている。この操作は、プロジェクタ１に接触せずに行う操作（非接触操作）である。本実施形態は、この非接触操作の検出を特徴とするので、以降の説明はこの点を中心に行う。
【００１３】
図２は、プロジェクタ１の要部構成例を説明するブロック図である。プロジェクタ１は、システム制御部１４に制御される。システム制御部１４は、プロジェクタ１内の各部から入力される信号を用いて所定の演算を行い、演算結果を制御信号として各部に出力する。システム制御部１４が実行するプログラムは、不図示のＲＯＭに格納される。
【００１４】
画像入力部１５は、コネクタ（不図示）を有し、該コネクタに外部メモリ（たとえばメモリカード）が接続される。画像入力部１５は、接続された外部メモリから画像データを取得する。
【００１５】
画像処理部１６は、システム制御部１４からの指示により、画像入力部１５を介して取得した画像データを記憶部１６Ａに展開し、該画像データに対して所定の画像処理を行い、画像表示制御部１７へ出力する。画像表示制御部１７は、システム制御部１４からの指示により、該画像データに基づく画像を投映するための制御信号を画像表示部１８へ出力する。
【００１６】
光源制御回路１９は、システム制御部１４からの指示により、投映光源２０の点灯を制御するための点灯制御信号を投映光源２０へ出力する。投映光源２０は、赤色光を発光するＲ−ＬＥＤ２０１、緑色光を発光するＧ−ＬＥＤ２０２、および青色光を発光するＢ−ＬＥＤ２０３（図３）を有する。投映光源２０は、光源制御回路１９からの点灯制御信号に応じて点灯し、画像表示部１８を照明する。
【００１７】
画像表示部１８は、画像表示制御部１７からの制御信号に応じて、投映光源２０からの照明光を変調して光像を生成する。なお、画像表示部１８としては、たとえば、ＬＣＯＳ（Liquid Crystal On Silicon）、ＤＬＰ（Digital Light Processing)（登録商標）などを用いることができる。投映光学系１１は、画像表示部１８から射出される光像を外部の投映面（スクリーンなど）に投映する。
【００１８】
待機表示用光源１２は、可視光を発光するＬＥＤ（以下、待機表示用ＬＥＤと呼ぶ）１２１（図３）を有する。光源制御回路１９は、システム制御部１４からの指示により、待機表示用光源１２の点灯を制御するための点灯制御信号を待機表示用光源１２へ出力する。待機表示用光源１２は、光源制御回路１９からの点灯制御信号に応じて点灯する。
【００１９】
受光センサ１３は、待機表示用光源１２から出力される可視光を受光する。集光レンズ２１は、待機表示用光源１２から出力され、上記反射物で反射された反射光を効率よく受光センサ１３へ導く。受光センサ１３は、受光量に応じた電流を流す。受光センサ１３を含む非接触操作検出回路２２は、該電流に基づいて上記非接触操作を検出し、検出信号をシステム制御部１４へ出力する。
【００２０】
音声処理部２３は、システム制御部１４から出力された音声データに対して所定の音声処理を施し、音声出力部２４に出力する。音声出力部２４は、該音声データに基づく音声を出力する。
【００２１】
操作入力部２５は、プロジェクタ１に設けられたボタンやスイッチ（不図示）などを含み、操作されたボタンやスイッチに対応する操作信号をシステム制御部１４へ出力する。
【００２２】
温度検出部２６は、たとえば投映光源２０近傍などプロジェクタ１内部の温度を検出して、温度検出信号をシステム制御部１４へ出力する。システム制御部１４は、該温度検出信号に応じてプロジェクタ１内部を冷却する冷却部（不図示）を制御し、プロジェクタ１内部の温度上昇を防止する。
【００２３】
バッテリーチェック部２７は、プロジェクタ１に装填されたバッテリー（不図示）の残容量を検出して、残容量検出信号をシステム制御部１４へ出力する。電源供給部２８は、上記バッテリーから供給される電力をプロジェクタ１内の各部へ供給する。
【００２４】
システム制御部１４は、待機モードの際、スイッチＳＷ１およびＳＷ２をオフすることにより、画像表示ユニット２９（画像表示制御部１７と画像表示部１８を含む）、音声出力ユニット３０（音声処理部２３と音声出力部２４を含む）に対する電源供給部２８からの電力供給を停止させる。これにより、プロジェクタ１は、待機モード時の消費電力を低減するようになっている。なお、システム制御部１４は、スイッチＳＷ３をオフせずに光源制御回路１９に対する電力供給を継続し、待機表示用光源１２を点灯させる。
【００２５】
図３は、光源制御回路１９の構成例を説明する回路図である。Ｒ−ＬＥＤ２０１の発光を制御するＲ信号、Ｇ−ＬＥＤ２０２の発光を制御するＧ信号、Ｂ−ＬＥＤ２０３の発光を制御するＢ信号、待機表示用ＬＥＤ１２１の発光を制御するLED-Control信号は、システム制御部１４からＯＲ回路３１に入力される。ＯＲ回路３１の出力信号は、ＤＣ−ＤＣコンバータ３２の制御端子On/Offに入力される。ＤＣ−ＤＣコンバータ３２は、制御端子On/Offの入力信号に応じてオン・オフする。
【００２６】
ＤＣ−ＤＣコンバータ３２は、不図示のバッテリーから入力端子Ｖinへ供給された電圧を、投映光源２０および待機表示用光源１２を駆動する電圧に変換して、出力端子Ｖoutから出力する。
【００２７】
ＤＣ−ＤＣコンバータ３２の出力端子Ｖoutには、Ｒ−ＬＥＤ２０１、Ｇ−ＬＥＤ２０２、Ｂ−ＬＥＤ２０３、および待機表示用ＬＥＤ１２１のアノード端子が接続される。Ｒ−ＬＥＤ２０１、Ｇ−ＬＥＤ２０２、Ｂ−ＬＥＤ２０３、および待機表示用ＬＥＤ１２１のカソード端子には、それぞれトランジスタＴＲ１〜ＴＲ４が接続される。
【００２８】
トランジスタＴＲ１〜ＴＲ４がオンすると、Ｒ−ＬＥＤ２０１、Ｇ−ＬＥＤ２０２、Ｂ−ＬＥＤ２０３、および待機表示用ＬＥＤ１２１にそれぞれ電流が流れ、Ｒ−ＬＥＤ２０１、Ｇ−ＬＥＤ２０２、Ｂ−ＬＥＤ２０３、および待機表示用ＬＥＤ１２１がそれぞれ発光する。各ＬＥＤが発する光の明るさは、各ＬＥＤに流れる電流値に略比例して変化する。トランジスタＴＲ１〜ＴＲ４は、それぞれＲ信号、Ｇ信号、Ｂ信号、およびLED-Control信号に応じてオン・オフする。
【００２９】
誤差増幅回路３３、基準電圧回路３４、および抵抗器３５は、Ｒ−ＬＥＤ２０１、Ｇ−ＬＥＤ２０２、Ｂ−ＬＥＤ２０３、および待機表示用ＬＥＤ１２１に流れる電流が所定値となるようにＤＣ−ＤＣコンバータ３２に対してフィードバック制御を行うフィードバック制御回路を構成する。
【００３０】
図４は、点灯制御信号（上記Ｒ信号、Ｇ信号、Ｂ信号、LED-Control信号）の波形を説明する図である。投映モードの際には、LED-Control信号は停止され（Ｌ(Low)レベル）、待機表示用ＬＥＤ１２１を消灯する。一方、Ｒ信号、Ｇ信号、およびＢ信号は、所定のデューティ比で生成され、Ｒ−ＬＥＤ２０１、Ｇ−ＬＥＤ２０２およびＢ−ＬＥＤ２０３を順に時分割で発光させるフィールドシーケンシャル駆動を行う。Ｒ−ＬＥＤ２０１、Ｇ−ＬＥＤ２０２およびＢ−ＬＥＤ２０３による照明光の明るさは、基準電圧回路３４の基準電圧Ｖrefを変化させて調節する。
【００３１】
待機モードの際には、所定の周波数のパルス信号でなるLED-Control信号が生成され、待機表示用ＬＥＤ１２１を点滅発光する。待機表示用ＬＥＤ１２１による照明光の明るさも、基準電圧回路３４の基準電圧Ｖrefを変化させて調節する。一方、Ｒ信号、Ｇ信号、およびＢ信号は停止され（Ｌレベル）、Ｒ−ＬＥＤ２０１、Ｇ−ＬＥＤ２０２、Ｂ−ＬＥＤ２０３を消灯する。
【００３２】
図５は、非接触操作検出回路２２の構成例を説明する回路図である。受光センサ１３は、受光量に応じた電流を流す。この電流は、ＡＧＣ（Auto Gain Control）回路４１により、電圧信号に変換される。
【００３３】
ＡＧＣ回路４１は、受光センサ１３とＡＧＣ回路４１の接続点Ｐにおける電位を所定値とするようにゲインを制御する。これにより、周囲環境光（太陽光、室内照明光など）の明るさの変化に応じて受光センサ１３の受光量が変動しても、接続点Ｐの電位を適切な値に維持することができる。
【００３４】
差動増幅回路４３の入力端子Ａは、コンデンサ４２および抵抗器４４を介して接続点Ｐと接続される。コンデンサ４２は、受光信号の低周波成分を遮断して高周波成分のみを通過させる。
【００３５】
待機表示用光源１２は、所定の周波数のパルス信号に応じて点滅発光するため、待機表示用光源１２からの出力光が反射された光の周波数は、上述した高周波成分に対応する。一方、周囲環境光の周波数は、上述した低周波成分に対応する。したがって、コンデンサ４２が受光信号の低周波成分を遮断することにより、受光信号から周囲環境光による影響を除去することができる。
【００３６】
差動増幅回路４３の入力端子Ｂには、基準電圧回路４５が接続される。差動増幅回路４３は、入力端子Ａから入力される受光信号の電圧と、入力端子Ｂを介して入力される基準電圧Ｖrefの差分を増幅した信号を、フィルタ回路４６に出力する。すなわち、差動増幅回路４３は、入力端子Ａに入力される信号のうち、基準電圧Ｖrefに応じたレベルの入力信号を増幅する。
【００３７】
なお、基準電圧回路４５は、出力する基準電圧Ｖrefのレベルを適宜変更できるよう構成される。待機表示用光源１２から遠い反射物による反射光を受光した場合、受光信号のレベルは低く、待機表示用光源１２に近い反射物による反射光を受光した場合、受光信号のレベルは高い。そこで基準電圧Ｖrefのレベルを変更することで、反射物の検出距離を制御する。
【００３８】
フィルタ回路４６はＡＮＤ回路を有する。該ＡＮＤ回路には、差動増幅回路４３の出力信号と、待機表示用光源１２の点灯制御信号（LED-Control信号）とが入力される。フィルタ回路４６は、差動増幅回路４３の出力信号からLED-Control信号と同期する信号を抽出し、カウンタ回路４７に出力する。これにより、受光信号から待機表示用光源１２の出力光の反射光に対応する信号成分のみを抽出でき、該反射光以外の光（周囲環境光）による影響を除去することができる。なお、上述したように、LED-Control信号はパルス信号であるため、フィルタ回路４６はパルス信号を出力する。
【００３９】
カウンタ回路４７は、フィルタ回路４６の出力信号のパルス数をカウントし、カウントしたパルス数が所定数に達すると、非接触操作の検出を示すOutput信号をシステム制御部１４に出力する。
【００４０】
図６は、待機表示用光源１２の点灯制御信号（LED-Control信号）と受光センサ１３の受光信号の波形を説明する図である。図６（ａ）に示すように、LED-Control信号は、所定のパルス周期（たとえば１秒）および所定のパルス幅（たとえば０．１秒）のパルス信号として生成される。待機表示用光源１２は、該LED-Control信号に応じて、該パルス周期で点滅し、一回の点灯時間は該パルス幅に応じた時間となる。待機表示用光源１２は、このような点滅表示により、待機モードであることをわかりやすく表示できると共に、消費電力を低減することができる。
【００４１】
さらに、図６（ｂ）に示すように、LED-Control信号は、図６（ａ）の１パルスをさらに複数（たとえば１０個）のパルスに分割した波形で生成されるようになっている。図６（ｃ）に示す受光センサ１３の受光信号は、該LED-Control信号に応じた波形となる。このような波形でなるLED-Control信号に応じて待機表示用光源１２を点灯させることにより、非接触操作検出回路２２が、待機表示用光源１２の１回の点灯時間内に受光信号のパルス数をカウントして非接触操作を検出できるようになっている。
【００４２】
図７は、カウンタ回路４７の構成例を説明する回路図である。図８は、カウンタ回路４７の作動例を説明するタイミングチャートである。カウンタ回路４７は、カウンタ４７１およびタイマ４７２を有する。タイマ４７２としては、再トリガ不可能単安定マルチバイブレータを用いる。フィルタ回路４６からのInput信号は、カウンタ４７１およびタイマ４７２に入力される。タイマ４７２は、Input信号がＨ（High）レベルになるとアクティブとなり、所定時間（たとえば１秒）Ｈレベルの信号を、カウンタ４７１のイネーブル端子ＥＮに出力する。
【００４３】
カウンタ４７１は、イネーブル端子ＥＮにＨレベルの信号が入力されるとアクティブとなり、入力端子ｉｎに入力されるInput信号のパルス数をカウントする。カウンタ４７１は、カウント数が所定数（たとえば８個）に達すると、ＨレベルのOutput信号をシステム制御部１４に出力する。システム制御部１４は、カウンタ回路４７からのＨレベルのOutput信号を、待機モードから投映モードに復帰するコマンド（WakeUpコマンド）として認識して、待機モードから投映モードへ復帰する処理（WakeUp処理）を実行する。
【００４４】
タイマ４７２は、Ｈレベル信号を所定時間出力すると、出力信号をＬレベルに変化させる。カウンタ４７１は、イネーブル端子ＥＮに入力される信号がＬレベルになると、Output信号をＬレベルに変化させると共に、パルス数のカウントを終了する。
【００４５】
したがってカウンタ４７１は、タイマ４７２がＨレベルを出力する所定時間内にInput信号のパルスのカウント数が所定数に達しない場合、Output信号をＬレベルのままとする。これにより、たとえば周囲環境光が反射された光を、待機表示用光源１２からの出力光が反射された光として誤検出するのを防止できる。
【００４６】
図９は、システム制御部１４が実行する非接触操作検出処理を説明するフローチャートである。システム制御部１４は、電源がオンされると、投映モードでの動作を開始すると共に、図９の処理を行うプログラムを起動する。
【００４７】
ステップＳ１において、システム制御部１４は、無操作の状態（操作入力部２５から操作信号が入力されない状態）が所定時間（たとえば５分）継続したか否かを判定する。システム制御部１４は、投映モード中、不図示のタイマにより最後の操作信号入力後の経過時間を計時する。
【００４８】
システム制御部１４は、最後の操作信号入力から所定時間経過していない場合、ステップＳ１を否定判定し、該判定処理を繰り返す。一方、システム制御部１４は、最後の操作信号入力から所定時間が経過した場合、ステップＳ１を肯定判定して、ステップＳ２に進む。
【００４９】
ステップＳ２において、システム制御部１４は、投映モードから待機モード（Power Save Mode）に切替えて、ステップＳ３に進む。このときシステム制御部１４は、直前に投映していた画像データおよび設定データ（たとえば明るさや色調整などの設定）を、不図示のメモリに記憶する。そして、システム制御部１４は、スイッチＳＷ１およびＳＷ２をオフして、画像表示ユニット２９および音声出力ユニット３０への電力供給を停止する。なお、システム制御部１４は、光源制御回路１９、温度検出部２６、バッテリーチェック部２７など電力供給が必要な回路に対しては、電力供給を継続させる。
【００５０】
ステップＳ３において、システム制御部１４は、光源制御回路１９に指示を送り、待機表示用光源１２を点灯させて、ステップＳ４へ進む。ステップＳ４において、システム制御部１４は、非接触操作検出回路２２からＨレベルのOutput信号（非接触操作の検出を示す信号）が出力されたか否かを判定する。
【００５１】
システム制御部１４は、非接触操作の検出を示す信号が出力されると、ステップＳ４を肯定判定してステップＳ５へ進む。システム制御部１４は、非接触操作の検出を示す信号が出力されない場合にはステップＳ４を否定判定し、当該判定処理を繰り返す。
【００５２】
ステップＳ５において、システム制御部１４は、WakeUp処理を実行して投映モードに復帰し、ステップＳ１に戻る。WakeUp処理において、システム制御部１４は、待機表示用光源１２の消灯処理を行う。またシステム制御部１４は、スイッチＳＷ１およびＳＷ２をオンして、画像表示ユニット２９および音声出力ユニット３０への電力供給を再開する。さらにシステム制御部１４は、待機モードに切替える際にメモリに記憶した画像データおよび設定データに基づいて、待機モードに入る直前に投映していた画像の投映を、待機モードに入る直前の設定状態で再開させる。
【００５３】
以上説明した第１の実施の形態によれば、次の作用効果が得られる。
（１）プロジェクタ１は、投映光源２０が発する光を変調して投映面に投映する画像表示部１８と、画像表示部１８による投映を停止する停止状態（待機モード）であることを示す光を発する待機表示用光源１２と、待機表示用光源１２が発する光の反射光を受光する受光センサ１３と、受光センサ１３による受光信号に基づいて、停止状態から画像表示部１８による投映を行う投映状態（投映モード）への切替を制御するシステム制御部１４と、を備えるので、たとえばリモートコントローラなどを用いなくても、プロジェクタ１に接触することなく、待機モードから使用モードへ切替え操作できる。
【００５４】
（２）上記（１）のプロジェクタ１において、待機表示用光源１２は、所定のタイミングで間欠発光するように構成したので、待機モードであることを操作者にわかりやすく通知できると共に消費電力を低減することができる。
【００５５】
（３）上記（２）のプロジェクタ１において、受光信号から待機表示用光源１２の発光タイミングと同期するタイミングの信号を抽出するフィルタ回路４６をさらに備え、システム制御部１４は、フィルタ回路４６により抽出された信号に基づいて、停止状態から投映状態への切替を制御するように構成したので、待機表示用光源１２から出力された光の反射光に対応する信号成分を受光信号から適切に抽出することができる。
【００５６】
（４）上記（３）のプロジェクタ１において、フィルタ回路４６により抽出された信号のパルス数をカウントするカウンタ回路４７をさらに備え、システム制御部１４は、カウンタ回路４７によるカウント数が所定数に達したら、停止状態から投映状態へ切替えるように構成したので、待機モードから使用モードへの切替え操作を適切に検出することができる。
【００５７】
（５）上記（１）〜（４）のプロジェクタ１において、待機表示用光源１２は、投映光源２０とは別に設けられるように構成したので、待機モードの際、画像表示部１８や投映光源２０などに対する電力供給を停止することができ、消費電力を低減することができる。
【００５８】
（６）上記（３）または（４）のプロジェクタ１において、差動増幅回路４３は、受光信号から所定のレベルの信号を抽出するように構成したので、待機表示用光源１２から出力された光を反射する反射物までの距離に応じたレベルの信号を適切に検出することができる。
【００５９】
（７）上記（１）〜（６）のプロジェクタ１において、システム制御部１４は、停止状態に切替える直前の動作状態を示す情報を記憶部に記憶し、該停止状態から投映状態に切替える際、該記憶部に記憶した該情報に基づいて該停止状態に切替える直前の動作状態に復帰させるように構成したので、待機モードから投映モードに切替える際、該待機モードに切替える直前の動作状態に素早く復帰させることができる。
【００６０】
（第２の実施の形態）
図面を参照して、本発明による第２の実施の形態について説明する。なお、第１の実施の形態と同一の箇所については第１の実施の形態と同一の符号を付し、説明を省略する。
【００６１】
図１０は、本発明の第２の実施の形態によるプロジェクタ１０１の外観例を説明する図である。第２の実施の形態のプロジェクタ１０１は、第１の実施の形態と異なり待機表示用光源１２が設けられておらず、投映光源２０のＲ−ＬＥＤ２０１（図１２）を用いて待機表示を行う。
【００６２】
プロジェクタ１０１の正面１０１Ａには、投映レンズ１１Ａの近傍に、受光センサ１１３が設けられている。投映レンズ１１Ａの前方に反射物（たとえば操作者の手）をかざすと、投映光源２０から投映レンズ１１Ａを介して出力された光が上記反射物に反射され、受光センサ１１３が該反射光を受光する。
【００６３】
第２の実施の形態のプロジェクタ１０１は、投映モードである場合に受光センサ１１３が該反射光を受光すると、待機モードへの切替を指示する操作が行われたと判断して、投映モードから待機モードに切替える。またプロジェクタ１０１は、待機モードである場合に受光センサ１１３が該反射光を受光すると、待機モードの解除を指示する操作が行われたと判断して、待機モードから投映モードに復帰する。このように第２の実施の形態のプロジェクタ１０１は、第１の実施の形態と異なり、投映レンズ１１Ａの前方に反射物をかざす非接触操作を検出できるようになっている。
【００６４】
図１１は、第２の実施の形態のプロジェクタ１０１の要部構成を説明するブロック図である。第２の実施の形態のプロジェクタ１０１は、第１の実施の形態のプロジェクタ１の光源制御回路１９に代えて光源制御回路１１９を有する。また、第１の実施の形態のプロジェクタ１の非接触操作検出回路２２に代えて非接触操作検出回路１２２を有する。非接触操作検出回路１２２は、上記受光センサ１１３を含む。
【００６５】
集光レンズ２１と受光センサ１１３の間には、赤色光のみを通過させるカラーフィルタ１５０が設けられている。集光レンズ２１は、投映光学系１１から出力され、上記反射物で反射された反射光を、カラーフィルタ１５０を介して受光センサ１１３へ効率よく導く。受光センサ１１３は、カラーフィルタ１５０を通過した赤色光を受光して、受光量に応じた電流を流す。非接触操作検出回路１２２は、該電流に基づいて上記非接触操作（投映レンズ１１Ａの前方に上記反射物をかざす操作）を検出し、検出信号をシステム制御部１４へ出力する。
【００６６】
図１２は、第２の実施の形態の光源制御回路１１９の構成例を説明する回路図である。投映モードの際にＲ−ＬＥＤ２０１の駆動を制御するＲｗ信号、および待機モードの際にＲ−ＬＥＤ２０１の駆動を制御するＲｓ信号は、システム制御部１４からＯＲ回路１５１に入力される。投映モードの際にＧ−ＬＥＤ２０２の駆動を制御するＧｗ信号、および待機モードの際にＧ−ＬＥＤ２０２の駆動を制御するＧｓ信号は、システム制御部１４からＯＲ回路１５２に入力される。投映モードの際にＢ−ＬＥＤ２０３の駆動を制御するＢｗ信号、および待機モードの際にＢ−ＬＥＤ２０１の駆動を制御するＢｓ信号は、システム制御部１４からＯＲ回路１５３に入力される。
【００６７】
ＯＲ回路１５１、ＯＲ回路１５２、ＯＲ回路１５３の出力信号は、ＯＲ回路３１を介してＤＣ−ＤＣコンバータ３２の制御端子On/Offに入力される。またトランジスタＴＲ１〜ＴＲ３は、それぞれＯＲ回路１５１、ＯＲ回路１５２、ＯＲ回路１５３の出力信号に応じてオン・オフする。
【００６８】
図１３は、点灯制御信号（上記Ｒｗ信号、Ｇｗ信号、Ｂｗ信号、Ｒｓ信号、Ｇｓ信号、Ｂｓ信号）の波形を説明する図である。投映モードの際には、Ｒｗ信号、Ｇｗ信号、およびＢｗ信号が所定のデューティ比で生成され、Ｒ−ＬＥＤ２０１、Ｇ−ＬＥＤ２０２、Ｂ−ＬＥＤ２０３を順に時分割で発光させるフィールドシーケンシャル駆動を行う。Ｒ−ＬＥＤ２０１、Ｇ−ＬＥＤ２０２およびＢ−ＬＥＤ２０３による照明光の明るさは、基準電圧回路３４の基準電圧Ｖrefを変化させて調節する。
【００６９】
待機モードの際には、所定の周波数のパルス信号でなるＲｓ信号が生成され、Ｒ−ＬＥＤ２０１を点滅発光する。一方、本実施の形態の場合は、Ｇｓ信号およびＢｓ信号は停止され（Ｌレベル）、Ｇ−ＬＥＤ２０２およびＢ−ＬＥＤ２０３を消灯する。
【００７０】
なお、Ｒｓ信号は、第１の実施形態におけるLED-Control信号と同様に、所定のパルス周期および所定のパルス幅のパルス信号として生成される（図６（ａ））と共に、１パルスをさらに複数のパルスに分割した波形で生成される（図６（ｂ））。また、システム制御部１４は、基準電圧回路３４の基準電圧Ｖrefを制御してＲ−ＬＥＤ２０１に流す電流値を投映モードの際よりも低くし、Ｒ−ＬＥＤ２０１による照明光の明るさを投映モードの際よりも暗くする。これにより、待機モード時の消費電力を低減することができる。
【００７１】
第２の実施の形態における非接触操作検出回路１２２は、第１の実施の形態における受光センサ１３に代えて、第２の実施の形態における受光センサ１１３を含むほかは、第１の実施の形態における非接触操作検出回路２２（図５）と同様の構成でなる。
【００７２】
受光センサ１１３は、カラーフィルタ１５０を通過した赤色光を受光して受光量に応じた電流を流す。第１の実施の形態と同様に、この電流は電圧信号に変換され、高周波成分がコンデンサ４２および差動増幅回路４３を介してフィルタ回路４６に入力される。
【００７３】
また、第２の実施の形態において、フィルタ回路４６には、Ｒ−ＬＥＤ２０１の点灯制御信号（ＯＲ回路１５１の出力信号）が入力される。フィルタ回路４６は、差動増幅回路４３の出力信号からＲ−ＬＥＤ２０１の点灯制御信号と同期する信号を抽出し、カウンタ回路４７に出力する。これにより、受光信号からＲ−ＬＥＤ２０１の出力光の反射光に対応する信号成分のみを抽出できる。
【００７４】
カウンタ回路４７は、フィルタ回路４６の出力信号のパルス数をカウントし、カウントしたパルス数が所定数に達すると、非接触操作の検出を示すOutput信号をシステム制御部１４に出力する。なお、第２の実施の形態におけるシステム制御部１４は、投映モードと待機モードとで、カウンタ回路４７がOutput信号をＨレベルに切替えるカウント数を変更するようにしてもよい。
【００７５】
この場合、システム制御部１４は、投映モードにおいてフレームレートに応じて上記カウント数を設定する。フィールドシーケンシャル駆動の場合、Ｒ−ＬＥＤ２０１はフレームレートに応じて点滅発光する。たとえばフレームレートが３０fpsの場合は１秒間に３０回点滅する。そこで、上記カウント数をたとえば２８個に設定しておくと、約１秒間の上記非接触操作によって、カウンタ回路４７のパルス数のカウントが上記カウント数（本例では２８）に達し、非接触操作検出回路１２２がOutput信号を出力することとなる。
【００７６】
一方、待機モードにおいては、Ｒｗ信号のパルス波形に応じて上記カウント数を設定する。たとえばＲｗ信号のパルス周期が１秒でそのパルス幅が０．１秒であって、１パルスをさらに１０個のパルスに分割した波形で構成する場合、上記カウント数をたとえば８個に設定する。こうすることで、上記非接触操作が行われている間にＲ−ＬＥＤ２０１が１回点灯すると、カウンタ回路４７のパルス数のカウントが上記カウント数（本例では８）に達し、非接触操作検出回路１２２がOutput信号を出力することとなる。
【００７７】
図１４は、第２の実施の形態におけるシステム制御部１４が実行する非接触操作検出処理を説明するフローチャートである。システム制御部１４は、電源がオンされると、投映モードでの動作を開始すると共に、図１４の処理を行うプログラムを起動する。
【００７８】
ステップＳ１１において、システム制御部１４は、非接触操作検出回路１２２からＨレベルのOutput信号（非接触操作の検出を示す信号）が出力されたか否かを判定する。システム制御部１４は、非接触操作の検出を示す信号が出力されると、ステップＳ１１を肯定判定してステップＳ１２へ進む。システム制御部１４は、非接触操作の検出を示す信号が出力されない場合にはステップＳ１１を否定判定し、当該判定処理を繰り返す。
【００７９】
ステップＳ１２において、システム制御部１４は、投映モードから待機モード（Power Save Mode）に切替えて、ステップＳ１３に進む。このときシステム制御部１４は、直前に投映していた画像データおよび設定データ（たとえば明るさや色調整などの設定）を、不図示のメモリに記憶する。そして、システム制御部１４は、スイッチＳＷ１をオフして、音声出力ユニット３０への電力供給を停止する。なお、画像表示部１８がノーマリホワイトのＬＣＯＳなどである場合は、画像表示ユニット２９に対しても電力供給を停止できる。
【００８０】
ステップＳ１３において、システム制御部１４は、光源制御回路１１９に指示を送り、投映光源２０を待機モード用のパターンで点灯させて、ステップＳ１４へ進む。待機モード用のパターンとは、上述したように、Ｇ−ＬＥＤ２０２およびＢ−ＬＥＤ２０３を消灯し、Ｒ−ＬＥＤ２０１のみを点滅発光させるパターンである。これにより、赤色の画面が投映レンズ１１Ａを介して投映面に投映される。
【００８１】
ステップＳ１４において、システム制御部１４は、非接触操作検出回路１２２からＨレベルのOutput信号（非接触操作の検出を示す信号）が出力されたか否かを判定する。システム制御部１４は、非接触操作の検出を示す信号が出力されると、ステップＳ１４を肯定判定してステップＳ１５へ進む。システム制御部１４は、非接触操作の検出を示す信号が出力されない場合にはステップＳ１４を否定判定し、当該判定処理を繰り返す。
【００８２】
ステップＳ１５において、システム制御部１４は、待機モードから投映モードへ復帰するためのWakeUp処理を実行して投映モードに復帰し、ステップＳ１１に戻る。なお、Wakeup処理において、システム制御部１４は、電力供給を停止していた回路への電力供給を再開する。そしてシステム制御部１４は、待機モードに切替える際にメモリに記憶した画像データおよび設定データに基づいて、待機モードに入る直前の動作状態に戻す処理を行う。
【００８３】
以上説明した第２の実施の形態によれば、次の作用効果が得られる。
（１）プロジェクタ１０１は、投映光源２０が発する光を変調して投映面に投映する画像表示部１８と、画像表示部１８による投映を停止する停止状態（待機モード）であることを示す光を発する通知光源（投映光源）２０と、通知光源２０が発する光の反射光を受光する受光センサ１１３と、受光センサ１１３による受光信号に基づいて、停止状態から画像表示部１８による投映を行う投映状態へ、または投映状態から停止状態への切替を制御するシステム制御部１４と、を備えるので、操作者は、たとえばリモートコントローラなどを用いなくても、プロジェクタ１に接触することなく、待機モードから使用モードへ、または使用モードから待機モードへ切替え操作できる。
【００８４】
（２）上記（１）のプロジェクタ１０１において、投映光源２０は、上記通知光源２０を兼ねるように構成したので、別途光源を設けることなく待機モードであることを操作者に通知することができる。
【００８５】
（３）上記（２）のプロジェクタ１０１において、受光センサ１１３は、投映光源２０が発する光に含まれる所定波長領域の可視光（本実施形態では赤色光）を受光するように構成したので、受光信号に基づいて、待機モードから使用モードへ、または使用モードから待機モードへの切替え操作を適切に検出することができる。
【００８６】
（変形例１）
上述した第１の実施の形態では、投映光源２０と待機表示用光源１２を共通の光源制御回路１９により制御するようにしたが、それぞれ専用の光源制御回路を設けるようにしてもよい。この場合の待機表示用光源専用の光源制御回路の構成例を図１５に示す。待機表示用ＬＥＤ１２１のアノード端子は不図示のバッテリーに接続され、カソード端子は、抵抗器Ｒを介してトランジスタＴＲ５に接続される。トランジスタＴＲ５がオンすると、待機表示用ＬＥＤ１２１に電流が流れ、待機表示用ＬＥＤ１２１が発光する。トランジスタＴＲ５は、LED-Control信号に応じてオン・オフする。
【００８７】
（変形例２）
上述した第２の実施の形態では、待機モードの際、Ｒ−ＬＥＤ２０１を点滅発光させるようにしたが、Ｇ−ＬＥＤ２０２またはＢ−ＬＥＤ２０３のいずれかを点滅発光させるようにしてもよい。また、待機モードの際、いずれの色のＬＥＤを発光させるかをユーザが選択できるよう構成してもよい。こうすることにより、ユーザは、待機モードを表示するＬＥＤの色を、使用環境や気分などに応じて選択することができる。
【００８８】
（変形例３）
上述した第１の実施の形態のように投映光源２０とは別に設けた待機表示用光源１２を点滅発光させて待機表示する第１の表示モードと、上述した第２の実施の形態のように投映光源２０を点滅発光させて待機表示する第２の表示モードとを切替え可能に構成してもよい。この場合、システム制御部１４は、プロジェクタが内部のバッテリーから供給される電力で駆動している場合は第１のモードを選択し、プロジェクタが外部よりＡＣアダプタを介して供給される電力で駆動している場合は第２のモードを選択する。こうすることにより、消費電力を最小限に抑えることができる第１のモードと、待機モードをユーザにわかりやすく通知することができる第２のモードとを、供給電源に応じて適切に選択することができる。
【００８９】
（変形例４）
上述した第１の実施の形態において、待機表示用光源１２および受光センサ１３をプロジェクタ１の上面１Ｂに設置するようにしたが、これに限らなくてもよい。受光センサ１３が、投映レンズ１１Ａを介して出力される投映光の直射光を受光せず、且つ待機表示用光源１２から出力された光の反射光を受光可能であれば、待機表示用光源１２および受光センサ１３をこの他の位置に設けてもよい。
【００９０】
また上述した第２の実施の形態において、受光センサ１１３をプロジェクタ１０１の正面１０１Ａに設置するようにしたが、これに限らなくてもよい。受光センサ１１３が、投映レンズ１１Ａを介して出力される投映光の直射光を受光せず、且つ該投映光の反射光を受光可能であれば、受光センサ１１３をこの他の位置に設けてもよい。
【００９１】
（変形例５）
上述した第１および第２の実施の形態において、システム制御部１４は、待機モードの際、温度検出部２６によるプロジェクタ１内部の温度の検出を継続し、検出した温度に基づいて冷却部にプロジェクタ１内部の冷却を継続させるようにしてもよい。この場合、システム制御部１４は、温度検出部２６による検出温度が所定温度以下に下がると、冷却部による冷却を停止させる。
【００９２】
（変形例６）
上述した第１および第２の実施の形態において、システム制御部１４は、待機モードの際、バッテリーチェック部２７によるバッテリーの残容量の検出を継続するようにしてもよい。この場合、システム制御部１４は、待機モードから投映モードに復帰する際、バッテリーの残容量を投映表示させる。また、システム制御部１４は、バッテリーの残容量に応じて投映再開後の明るさを設定する。
【００９３】
具体的には、システム制御部１４は、待機モードに切替える直前に投映していた画像データに基づいて、該画像の投映必要時間を検出する。投映必要時間とは、たとえば静止画像の場合、投映させる静止画像のコマ数に応じた時間であり、動画像の場合、残りの再生時間である。システム制御部１４は、投映必要時間およびバッテリーの残容量に応じて、投映光源２０の明るさを適切に設定する。
【００９４】
（変形例７）
上述した第１の実施の形態において、受光センサ１３が待機表示用光源１２の直射光を受光するように構成し、待機表示用光源１２と受光センサ１３の間に遮断物（たとえば操作者の手）を入れる操作を待機モードの解除を指示する非接触操作として判断するようにしてもよい。この場合、非接触操作検出回路２２は、受光センサ１３により待機表示用光源１２からの光を受光しない時間が所定時間継続すると、上記非接触操作が行われたと検出する。
【００９５】
（変形例８）
上述した第１および第２の実施の形態では、投映光源２０としてＲ／Ｇ／Ｂ−ＬＥＤを用いるようにしたが、Ｗｈｉｔｅ−ＬＥＤまたは水銀ランプなどに、カラーフィルタまたはダイクロイックミラーを組み合わせて用いるようにしてもよい。また、Ｒ／Ｇ／Ｂレーザを用いるようにしてもよい。さらに、投映光源２０および画像表示部１８として、レーザとＭＥＭＳ(Micro Electro Mechanical Systems)を組み合わせて用いるようにしてもよい。
【００９６】
（変形例９）
上述した第１および第２の実施の形態では、受光信号のパルス数をカウントする機能をカウンタ回路４７で実現するようにしたが、ソフトウエアによって実現するようにしてもよい。
【００９７】
以上の説明はあくまで一例であり、上記の実施形態の構成に何ら限定されるものではない。また、上記実施形態に各変形例の構成を適宜組み合わせてもかまわない。
【符号の説明】
【００９８】
１、１０１…プロジェクタ
１１…投映光学系
１２…待機表示用光源
１３、１１３…受光センサ
１４…システム制御部
１８…画像表示部
１９、１１９…光源制御回路
２０…投映光源
２２、１２２…非接触操作検出回路
４１…ＡＧＣ回路
４２…コンデンサ
４３…差動増幅回路
４４…抵抗器
４５…基準電圧回路
４６…フィルタ回路
４７…カウンタ回路
【図１】
2013148621.tif 000003
【図２】
2013148621.tif 000004
【図３】
2013148621.tif 000005
【図４】
2013148621.tif 000006
【図５】
2013148621.tif 000007
【図６】
2013148621.tif 000008
【図７】
2013148621.tif 000009
【図８】
2013148621.tif 000010
【図９】
2013148621.tif 000011
【図１０】
2013148621.tif 000012
【図１１】
2013148621.tif 000013
【図１２】
2013148621.tif 000014
【図１３】
2013148621.tif 000015
【図１４】
2013148621.tif 000016
【図１５】
2013148621.tif 000017